(57)【要約】【課題】実釣時の過酷なドラグ使用によるトラブル発生を回避してドラグ力の良好な調節操作性及び性能維持を図った魚釣用スピニングリ−ルを提供することである。【解決手段】スプ−ル７の開口収容部７ｃには制動部材Ａの摩擦板３２と制動板３３と摩擦板３２と制動板３４と摩擦板３２と制動板３３と摩擦板３２が収容され、凹部からなる開口部７ｅにはクリック機構Ｂの皿状のクリックプレ−ト３４と皿状のクリック用バネホルダ−からなる押圧部３５が収容されている。  皿状のクリックプレ−ト３４は、円筒部３４ｂの内周の軸方向前方側にクリック凹凸部３４ｄが、円筒部３４ｂの内周の軸方向後方側に円形内周面３４ｅを形成すると共に、内側底面３４ｆから円形内周面３４ｅの軸方向の幅寸法Ｗは、押圧部３５の肉厚ｔに対し、Ｗ＞ｔに設定されている。【選択図】    図２
2010193856.tif 000002
【特許請求の範囲】
【請求項１】
リ−ル本体に設けたスプ−ル軸に、釣糸を巻回するスプ−ルを回転自在に装着し、このスプ−ルの前部に開口する凹部内にドラグ機構の摩擦板を兼ねた皿状のクリックプレ−トが収容され、前記凹部内に収容した摩擦板を、スプ−ル軸の前部に螺合するドラグ調節ツマミの押圧部で押圧することで、スプ−ル軸に対するスプ−ルの摩擦結合力を調節可能とした魚釣用スピニングリ−ルにおいて、前記クリックホルダ−の円筒部内周の軸方向前方側に前記ドラグ調節ツマミの押圧部に設けたクリック用バネの係合部に係合する凹凸部を形成し、前記クリックプレ−トの円筒部内周の軸方向後方側に円形内周面を形成すると共に、該円形内周面の軸方向の幅寸法Ｗは、前記ドラグ調節ツマミの押圧部の肉厚ｔに対し、Ｗ＞ｔに設定したことを特徴とする魚釣用スピニングリ−ル。
【請求項２】
リ−ル本体に設けたスプ−ル軸に、釣糸を巻回するスプ−ルを回転自在に装着し、このスプ−ルの前部に開口する凹部内にドラグ機構の摩擦板を兼ねた皿状のクリックプレ−トが収容され、前記凹部内に収容した摩擦板を、スプ−ル軸の前部に螺合するドラグ調節ツマミの押圧部で押圧することで、スプ−ル軸に対するスプ−ルの摩擦結合力を調節可能とした魚釣用スピニングリ−ルにおいて、前記ドラグ調節ツマミは、金属材で形成されたベ−スとなる押圧部と、該押圧部の前記クリックプレ−トの対向面に樹脂材で形成される圧接部との２重構成で形成されたことを特徴とする魚釣用スピニングリ−ル。
【発明の詳細な説明】
【技術分野】
【０００１】
本発明は、釣糸が巻回されるスプ−ルの回転を制動する制動装置を備えた魚釣用スピニングリ−ルに関する。
【背景技術】
【０００２】
魚釣用スピニングリ−ルにおいて、スプ−ルの回転を制動する制動装置をリ−ル本体に備え、リ−ル本体前部に設けたドラグ調節ツマミを回転操作することで、スプ−ルの制動力を強弱に調節できる構成が、例えば特許文献１及び特許文献１に記載された図面のスプ−ルを拡大した従来例図面図１１のように従来から知られている。
特許文献１及び従来例図面図１１の構成は、スプ−ル７の開口収容部に設けたドラグ機構の摩擦板３２の軸方向前部には、皿状のクリックプレ−ト３４が装着されてスプ−ル軸６に回り止め嵌合され、皿状のクリックプレ−ト３４の前面にはドラグ調節ツマミ４５に一体的に結合された皿状のクリック用バネホルダ−からなる押圧部３５が圧接され、クリックプレ−ト３４の円筒部３４ｂ内周に設けられた凹凸部３４ｃにクリック用バネホルダ−からなる押圧部３５に設けたクリック用バネ４４の係合部４４ｄが係合されている。
ドラグ調節ツマミ４５に一体的に結合された皿状のクリック用バネホルダ−からなる押圧部３５をクリックプレ−ト３４に押し当てた状態で摩擦回転させることで、クリックプレ−ト３４を介して摩擦板３２を押圧し、スプ−ル軸６に対するスプ−ル７の摩擦結合力を調節してドラグ力を発生するようにしている。
そして、クリックプレ−ト３４を押圧して回転操作されるドラグ調節ツマミ４５に一体的に結合された皿状のクリック用バネホルダ−からなる押圧部３５の回転操作を良くする為に、安価で摩擦係数の小さい樹脂が、押圧部３５に多用化されている状況にある。
【特許文献１】特開２００２−２６２７２９号公報
【発明の概要】
【発明が解決しようとする課題】
【０００３】
解決しようとする問題点は、スピ−ドの有る大型魚とのファイティングを行う際、ドラグ機構で釣糸に張力を掛けた状態で、スプ−ルを逆回転させて釣糸を繰り出し、そして釣糸を巻取る操作を何度も繰り返して行う等、過酷な条件下での使用によってドラグ機構部内で発生した摩擦熱により、ドラグ調節ツマミ４５の樹脂で形成された押圧部３５が溶けてドラグ調節ツマミ４５の回転操作による押圧寸法が変化（減少）してドラグ力が低下してしまい、ドラグ性能が安定しない等の不具合が発生する。
さらに、ドラグ調節ツマミ４５の樹脂で形成された押圧部３５が溶けると、図１１のように溶けた樹脂ａが押圧部３５の外側に、はみ出してクリックプレ−ト３４の円筒部３４ｂの内周に設けられた凹凸部３４ｃに入り込んで、固着するとドラグ調節ツマミ４５の回転操作が出来なくなり、ドラグ調整が行えなくなる等、実釣時のドラグ使用によりトラブルが発生する。
【０００４】
本発明の目的は前記欠点に鑑み、実釣時の過酷なドラグ使用によるトラブル発生を回避してドラグ力の良好な調節操作性及び性能維持を図った魚釣用スピニングリ−ルを提供することである。
【課題を解決するための手段】
【０００５】
本発明の請求項１は、リ−ル本体に設けたスプ−ル軸に、釣糸を巻回するスプ−ルを回転自在に装着し、このスプ−ルの前部に開口する凹部内にドラグ機構の摩擦板を兼ねた皿状のクリックプレ−トが収容され、前記凹部内に収容した摩擦板を、スプ−ル軸の前部に螺合するドラグ調節ツマミの押圧部で押圧することで、スプ−ル軸に対するスプ−ルの摩擦結合力を調節可能とした魚釣用スピニングリ−ルにおいて、前記クリックプレ−トの円筒部内周の軸方向前方側に前記ドラグ調節ツマミの押圧部に設けたクリック用バネの係合部に係合するクリック凹凸部を形成し、前記クリックプレ−トの円筒部内周の軸方向後方側に円形内周面を形成すると共に、該円形内周面の軸方向の幅寸法Ｗは、前記ドラグ調節ツマミの押圧部の肉厚ｔに対し、Ｗ＞ｔに設定したことを要旨とするものである。
本発明の請求項２は、リ−ル本体に設けたスプ−ル軸に、釣糸を巻回するスプ−ルを回転自在に装着し、このスプ−ルの前部に開口する凹部内にドラグ機構の摩擦板を兼ねた皿状のクリックプレ−トが収容され、前記凹部内に収容した摩擦板を、スプ−ル軸の前部に螺合するドラグ調節ツマミの押圧部で押圧することで、スプ−ル軸に対するスプ−ルの摩擦結合力を調節可能とした魚釣用スピニングリ−ルにおいて、前記ドラグ調節ツマミは、金属材で形成されたベ−スとなる押圧部と、該押圧部の前記クリックプレ−トの対向面に樹脂材で形成される圧接部との２重構成で形成されたことを要旨とするものである。
【発明の効果】
【０００６】
本発明の請求項１によれば、皿状のクリックプレ−トの円筒部内に形成されたクリック凹凸部の位置は、内側底面から円形内周面の前部の位置にあって軸方向の幅寸法Ｗは皿状のクリック用バネホルダ−からなる押圧部の肉厚ｔに対し、Ｗ＞ｔに設定されているので、ドラグ機構部内で発生した摩擦熱により、ドラグ調節ツマミの樹脂で形成された押圧部の溶けた樹脂ａが押圧部の外側に回っても、クリック凹凸部内に侵入して固着することがないので、ドラグ調節ツマミの回転操作が阻害されることがなく、実釣時のドラグ使用によるトラブルが回避できる。
本発明の請求項２によれば、押圧部が溶けて肉厚が減少しても押圧部の２重構成の金属材で形成された押圧部で押圧できるので、ドラグ力を必要なだけ調節することが出来て、ドラグ力の良好な調節操作性の維持を図りながら、実釣時のドラグ使用によるトラブルを回避できる。
【産業上の利用可能性】
【０００７】
本発明は魚釣用スピニングリ−ル全般に利用できる。
【図面の簡単な説明】
【０００８】
【図１】第１実施例で、魚釣用スピニングリ−ルの断面側面図である。
【図２】同魚釣用スピニングリ−ルのスプ−ルの拡大断面側面図である。
【図３】同魚釣用スピニングリ−ルのドラグ調節ツマミとドラグ調節ツマミに一体的に結合された皿状のクリック用バネホルダ−からなる押圧部の拡大断面側面図である。
【図４】同スプ−ルの分解断面側面図である。
【図５】同スプ−ル軸とスプ−ル支持部材の拡大断面側面図である。
【図６】同皿状のクリック用バネホルダ−からなる押圧部の拡大平面図である。
【図７】同クリック用バネの拡大平面図である。
【図８】第２実施例で、魚釣用スピニングリ−ルのドラグ調節ツマミとドラグ調節ツマミに一体的に結合された皿状のクリック用バネホルダ−からなる押圧部の断面側面図である。
【図９】第３実施例で、魚釣用スピニングリ−ルのドラグ調節ツマミとドラグ調節ツマミに一体的に結合された皿状のクリック用バネホルダ−からなる押圧部の断面側面図である。
【図１０】第４実施例で、魚釣用スピニングリ−ルのドラグ調節ツマミとドラグ調節ツマミに一体的に結合された皿状のクリック用バネホルダ−からなる押圧部の断面側面図である。
【図１１】従来例の魚釣用スピニングリ−ルのスプ−ルの断面側面図と要部拡大断面側面図である。
【発明を実施するための最良の形態】
【０００９】
魚釣用スピニングリ−ル１は、スプ−ル７の凹部からなる開口収容部７ｃには制動部材Ａの摩擦板３２と制動板３３と摩擦板３２と制動板３４と摩擦板３２と制動板３３と摩擦板３２が収容され、凹部からなる開口部７ｅにはクリック機構Ｂの皿状のクリックプレ−ト３４と皿状のクリック用バネホルダ−からなる押圧部３５が収容されている。
皿状のクリックプレ−ト３４は底面中心に中心透孔３４ａが、円筒部３４ｂの内周の軸方向前方側にクリック凹凸部３４ｄが、円筒部３４ｂの内周の軸方向後方側に円形内周面３４ｅを形成すると共に、内側底面３４ｆから円形内周面３４ｅの軸方向の幅寸法Ｗは、皿状のクリック用バネホルダ−からなる押圧部３５の肉厚ｔに対し、Ｗ＞ｔに設定されている。
【実施例１】
【００１０】
以下、図示の実施例によって本発明を説明すると、図１から図７は第１実施例で図１は魚釣用スピニングリ−ルの断面側面図、図２は魚釣用スピニングリ−ルのスプ−ルの拡大断面側面図、図３は魚釣用スピニングリ−ルのドラグ調節ツマミとドラグ調節ツマミに一体的に結合された皿状のクリック用バネホルダ−からなる押圧部の拡大断面側面図、図４はスプ−ルの分解断面側面図、図５はスプ−ル軸とスプ−ル支持部材の拡大断面側面図、図６は皿状のクリック用バネホルダ−からなる押圧部の拡大平面図、図７はクリック用バネの拡大平面図である。
【００１１】
魚釣用スピニングリ−ルは、リ−ル本体１の一側に蓋体１０が取り付けられてリ−ル本体１に取り付けられた軸受１１と蓋体１０に取り付けられた軸受１２で駆動歯車２の回転軸２ａの両端が軸承されている。
回転軸２ａの中心多角形孔にハンドル１３が固定されたハンドル軸１４が左右交換自在に挿入嵌合されている。
軸受１１はリ−ル本体１の段付凹部１ａ内に挿入されている。
軸受１２は蓋体１０の段付凹部１０ａ内に挿入されている。
リ−ル本体１の前部には軸受１７で回転軸筒３が回転自在に軸受されると共に前側に突出されている。
軸受１７より前側の回転軸筒３の外周にカラ−１８とロ−タ４の筒部４ａが回り止め嵌合されてナット１９で固定されている。
【００１２】
回転軸筒３の基端は軸受部１ｃで回転自在に軸承され、基端の前側に一体的に形成されたピニオン３ａに駆動歯車２が噛合されてロ−タ４はハンドル１３の回転に連動して回転されるように支持されている。
前記回転軸筒３の中心孔にはスプ−ル軸６の太径部６ａが前後往復動可能に摺動自在に挿入され、スプ−ル軸６の先端にはスプ−ル７が取り付けられてスプ−ル軸６の後端部６ｂには連結体２０がビス２１で取り付けられている。
リ−ル本体１の内側には歯車２２が軸部１ｄに軸承され、歯車２２は駆動歯車２の回転軸２ａに形成された歯車２ｂに噛合されている。
歯車２２には偏芯位置に突起が形成されて連結体２０の穴に挿入されている。
【００１３】
ロ−タ４は筒部４ａで回転軸筒３に取り付けられ、筒部４ａと前壁４ｃと大径の筒部４ｄと大径の筒部４ｄの基部４ｅ、４ｆの外周から前方に向けて突出された一対の支持腕４ｇ、４ｈとで形成されている。
一対のベ−ル支持腕４ｇ、４ｈの先端部外側に一方のベ−ル支持部材２３と他方のベ−ル支持部材２４がビス２５、２６で釣糸巻取位置と釣糸放出位置に反転自在に軸承されている。
一方のベ−ル支持部材２３には釣糸案内ロ−ラ２７の取付部２８が取り付けられている。
他方のベ−ル支持部材２４と取付部２８の間にベ−ル２９が取り付けられている。
【００１４】
スプ−ル軸６は太径部６ａの先端側に段部で太径部６ａより小径の小径部６ｃが形成され、先端にネジ部６ｄが形成されている。
小径部６ｃには軸方向と直交する透孔６ｅが穿設されている。
小径部６ｃ外周には筒状のスプ−ル支持部材９と軸受３１と筒状のスプ−ル支持部材９′が嵌合されている。
【００１５】
スプ−ル７は、内側軸筒部７ａと、内側軸筒部７ａより大径の筒部７ｂと、内側軸筒部７ａの前側の凹部からなる制動部材Ａの開口収容部７ｃと、開口収容部７ｃの周面に形成された複数条の軸方向の縦溝７ｄと、開口収容部７ｃより前側の凹部からなる開口部７ｅと、開口部７ｅの周面に形成された段部７ｆと、大径の筒部７ｂ内周に形成されたクリック凹凸歯７ｇと、釣糸が巻回される外周の釣糸巻回胴部７ｈと、前側の鍔部７ｉと、後側の大径の筒部７ｊとで形成されている。
【００１６】
凹部からなる開口収容部７ｃには制動部材Ａの摩擦板３２と制動板３３と摩擦板３２と制動板３４と摩擦板３２と制動板３３と摩擦板３２が収容され、凹部からなる開口部７ｅにはクリック機構Ｂの皿状のクリックプレ−ト３４と皿状のクリック用バネホルダ−からなる押圧部３５が収容される。
前側の鍔部７ｉの前側には段部７ｋが形成されて硬質のリング状の鍔部３６が段部７ｋに嵌められるように鍔部７ｉに重ねられてナット部材３７で取り付けられている。
【００１７】
スプ−ル支持部材９は筒部９ａの後端に２段の鍔部９ｂ、９ｃが形成され、鍔部９ｃの前側に周溝９ｄが、内側に逃げ凹部９ｅが形成されている。
鍔部９ｃの前側の筒部９ａ外周に摩擦板４０が嵌合されている。
スプ−ル支持部材９′は筒部９ｆに軸方向と直交する透孔９ｇが穿設されている。
筒部９ｆの後端内側に逃げ凹部９ｈが形成されている。
透孔９ｇと透孔６ｅには係合ピン４１が挿脱自在に挿入される。
スプ−ル支持部材９の筒部９ａの周溝９ｄにＯリングからなる弾性シ−ル部材４２が嵌合されている。
【００１８】
スプ−ル支持部材９′の筒部９ｆの外周には軸受４３が嵌合されている。
軸受３１と軸受４３の外周にはスプ−ル２の内側軸筒部７ａが嵌合され、スプ−ル７の内側軸筒部７ａより前側の筒部９ｆ外周には制動部材Ａの摩擦板３２と制動板３３と摩擦板３２と制動板３４と摩擦板３２と制動板３３と摩擦板３２とクリック機構Ｂの皿状のクリックプレ−ト３４と皿状のクリック用バネホルダ−からなる押圧部３５が嵌合されている。
制動板３３の外周の突起は縦溝７ｄでスプ−ル７に回り止めされている。
制動板３４の中心透孔と皿状のクリックプレ−ト３４の中心透孔３４ａはスプ−ル支持部材９′の筒部９ｆ外周に回り止め嵌合されている。
係合ピン４１が挿脱自在に挿入されたスプ−ル軸６の透孔６ｅとスプ−ル支持部材９′の透孔９ｇは、軸受４３で閉塞されている。
皿状のクリックプレ−ト３４は底面中心に中心透孔３４ａが、円筒部３４ｂの内周の軸方向前方側にクリック凹凸部３４ｄが、円筒部３４ｂの内周の軸方向後方側に円形内周面３４ｅを形成すると共に、内側底面３４ｆから円形内周面３４ｅの軸方向の幅寸法Ｗは、皿状のクリック用バネホルダ−からなる押圧部３５の肉厚ｔに対し、Ｗ＞ｔに設定されている。
【００１９】
皿状のクリック用バネホルダ−からなる押圧部３５は図２から図４、図６のように、内側の底面３５ａと、底面３５ａの外側の押圧面３５ｂと、底面３５ａの中心透孔３５ｃと、円筒部３５ｄと、円筒部３５ｄに穿設された透孔３５ｅ、３５ｆと回り止め用切欠き３５ｇ、３５ｇとで形成されている。
クリック用バネホルダ−からなる押圧部３５の中にはクリック用バネ４４が取り付けられている。
クリック用バネ４４は図７のように円弧部４４ａと、円弧部４４ａが開放された係止部４４ｂ、４４ｂと、並行な摺動案内部分４４ｃ、４４ｃと山形傾斜した係合部４４ｄで形成されている。
【００２０】
クリック用バネホルダ−からなる押圧部３５の円筒部３５ｄ内にクリック用バネ４４が挿入されて透孔３５ｅの中に摺動案内部分４４ｃ、４４ｃと山形傾斜した係合部４４ｄが挿入され、透孔３５ｆ内の両縁に係止部４４ｂ、４４ｂが係止される。
山形傾斜した係合部４４ｄは皿状のクリックプレ−ト３４の円筒部３４ｂの内周に形成されたクリック凹凸部３４ｄに係合される。
クリック用バネホルダ−からなる押圧部３５はドラグ調節ツマミ４５に一体的に結合され、ドラグ調節ツマミ４５とクリック用バネホルダ−からなる押圧部３５の間に環状弾性シ−ル部材５が挾み込まれている。
ドラグ調節ツマミ４５はドラグ調節ツマミ４５の内側に回り止め嵌合されたナット体４６のナット部４６ａがスプ−ル軸６の先端のネジ部６ｄに螺合されることでスプ−ル軸６に取り付けられている。
【００２１】
ナット部材３７は筒部３７ａと、鍔部３７ｂと、筒部３７ａの下端に外側に向けた鈎部３７ｃと、鍔部３７ｂの内側の凹部からなる開口部３７ｄで形成されている。
鈎部３７ｃはスプ−ル７の段部７ｆにワンタッチ作業で係止されると共にＯリングからなる弾性シ−ル材３９が押圧される。
ドラグ調節ツマミ４５とクリック用バネホルダ−からなる押圧部３５の間に挾み込まれた環状弾性シ−ル部材５′は、ナット部材３７の開口部３７ｄの縁部内周面に摺接されている。
【００２２】
ドラグ調節ツマミ４５の表面にはツマミ操作部４５ａが、裏面には筒部４５ｂと数条の腕部４５ｃが形成されて腕部４５ｃの先端に鈎部４５ｄが形成されている。
鈎部４５ｄはクリック用バネホルダ−からなる押圧部３５の透孔３５ｅ、３５ｆに係止されてドラグ調節ツマミ４５と環状弾性シ−ル部材５とクリック用バネホルダ−からなる押圧部３５が一体化されている。
筒部４５ｂの内面には回り止め面４５ｅが形成されてナット体４６に形成された回り止め面４６ｂが係合される。
ナット体４６と皿状のクリック用バネホルダ−からなる押圧部３５の底面３５ａの間には発条４８が挿入されている。
【００２３】
スプ−ル支持部材９の鍔部９ｃの外周には皿状のクリック用バネホルダ−からなる押圧部３５と略同形の皿状のクリック用バネホルダ−３５′の中心透孔３５ｈが回り止め嵌合され、皿状のクリック用バネホルダ−３５′の中にはクリック用バネ４４と略同形のクリック用バネ４４′が取り付けられている。
クリック用バネ４４′の山形傾斜した係合部４４ｄはスプ−ル７のクリック凹凸歯７ｇに係合される。
【００２４】
スプ−ル軸６の先端にスプ−ル７と、制動部材Ａと、ドラグ調節ツマミ４５と一体化されたクリック機構Ｂとが組み込まれる時は、スプ−ル軸６の小径部６ｃ外周に筒状のスプ−ル支持部材９と軸受３１と筒状のスプ−ル支持部材９′が嵌合されて透孔９ｇと透孔６ｅに係合ピン４１が挿入されると共にスプ−ル支持部材９′の筒部９ｆの外周に軸受４３が嵌合される。
次にスプ−ル支持部材９′の筒部９ｆの外周に制動部材Ａと、ドラグ調節ツマミ４５と一体化されたクリック機構Ｂが嵌合されてスプ−ル軸６の先端のネジ部６ｄにドラグ調節ツマミ４５の内側のナット体４６のナット部４６ａが螺合される。
【００２５】
前記のように魚釣用スピニングリ−ルが構成されていると、皿状のクリックプレ−ト３４の円筒部３４ｂ内に形成されたクリック凹凸部３４ｄの位置は、内側底面３４ｆから円形内周面３４ｅの前部の位置にあって軸方向の幅寸法Ｗは皿状のクリック用バネホルダ−からなる押圧部３５の肉厚ｔに対し、Ｗ＞ｔに設定されていると共に、幅寸法Ｗは肉厚ｔの約２倍以上あって、ドラグ機構部内で発生した摩擦熱により、ドラグ調節ツマミ４５の樹脂で形成された押圧部３５の溶けた樹脂ａが押圧部３５の外側に回っても、クリック凹凸部３４ｄ内に浸入することがないので回転操作が阻害されることがない。
ドラグ調節ツマミ４５の押圧部３５の回転操作が阻害されないので、押圧部３５が溶けて肉厚が減少してもドラグ力を必要なだけ調節することが出来る。
【実施例２】
【００２６】
図８は第２実施例で図８は魚釣用スピニングリ−ルのドラグ調節ツマミとドラグ調節ツマミに一体的に結合された皿状のクリック用バネホルダ−からなる押圧部の断面側面図である。
【００２７】
第２実施例のドラグ調節ツマミ４５とドラグ調節ツマミ４５に一体的に結合された皿状のクリック用バネホルダ−からなる押圧部３５″は金属材で形成されて内側の底面３５ａの外側の押圧面３５ｂの外側に、大円形の凹部３５ｈと中心凹部３５ｉが形成されている。
押圧面３５ｂが図示しないクリックプレ−トの対向面となる。
大円形の凹部３５ｈと中心凹部３５ｉは図示しない手段で連結されている。
大円形の凹部３５ｈと中心凹部３５ｉには樹脂材で形成された圧接部４９が固定されている。
他の構成は前記第１実施例と略同一である。
【００２８】
第２実施例では図示しない皿状のクリックプレ−トの内側底面に樹脂材で形成された圧接部４９が圧接されるが、ドラグ機構部内で発生した摩擦熱により樹脂材で形成された圧接部４９が溶けると金属材の押圧部３５″の押圧面３５ｂが圧接されることになり、樹脂材で形成された圧接部４９が溶けて無くなってもドラグ調節が出来なくなることがない。
【実施例３】
【００２９】
図９は第３実施例で図９は魚釣用スピニングリ−ルのドラグ調節ツマミとドラグ調節ツマミに一体的に結合された皿状のクリック用バネホルダ−からなる押圧部の断面側面図である。
【００３０】
第３実施例のドラグ調節ツマミ４５とドラグ調節ツマミ４５に一体的に結合された皿状のクリック用バネホルダ−からなる押圧部３５″は金属材で形成されて外側の押圧面３５ｂの外側全体がキャップ形状の樹脂材で形成された圧接部５０が固定されて覆われている。
他の構成は前記第１実施例と略同一である。
【実施例４】
【００３１】
図１０は第４実施例で図１０は魚釣用スピニングリ−ルのドラグ調節ツマミとドラグ調節ツマミに一体的に結合された皿状のクリック用バネホルダ−からなる押圧部の断面側面図である。
【００３２】
第４実施例のドラグ調節ツマミ４５とドラグ調節ツマミ４５に一体的に結合された皿状のクリック用バネホルダ−からなる押圧部３５″は金属材で形成されて外側の押圧面３５ｂの外側全体と中心透孔がキャップ形状の樹脂材で形成された圧接部５１が固定されて覆われている。
他の構成は前記第１実施例と略同一である。
【符号の説明】
【００３３】
１  リ−ル本体
６  スプ−ル軸
７  スプ−ル
３４  皿状のクリックプレ−ト
３２  摩擦板
４５  ドラグ調節ツマミ
３５、３５″  押圧部
３４ｂ  円筒部
３４ｄ  凹凸部
３４ｅ  円形内周面
４４  クリック用バネ
４４ｄ  係合部
Ｗ  円形内周面の軸方向の幅寸法
ｔ  押圧部の肉厚
４９、５０、５１  圧接部
【図１】
2010193856.tif 000003
【図２】
2010193856.tif 000004
【図３】
2010193856.tif 000005
【図４】
2010193856.tif 000006
【図５】
2010193856.tif 000007
【図６】
2010193856.tif 000008
【図７】
2010193856.tif 000009
【図８】
2010193856.tif 000010
【図９】
2010193856.tif 000011
【図１０】
2010193856.tif 000012
【図１１】
2010193856.tif 000013